(57)【特許請求の範囲】
【請求項１】
下水処理設備における下水処理槽から掻き揚げられたし渣を、次工程に圧送するための圧送装置と、前記圧送装置のし渣排出側に設けられた脱水機とを有するし渣搬送設備において、
前記脱水機は、傾斜バースクリーンを有し、し渣に含まれる水分は、し渣が前記傾斜バースクリーン上を滑り落ちる過程でし渣から分離し、落下し、前記脱水機は、前記傾斜バースクリーン上を滑り落ちるし渣の移動速度を検出するための速度検知手段と、前記速度検知手段によって検出されたし渣の移動速度に基づいて、前記傾斜バースクリーンの傾斜角度を調整するための角度調整手段とを有していることを特徴とするし渣搬送設備。
【請求項２】
前記傾斜バースクリーンの表面に、断面逆三角形状のキャップが被せられていることを特徴とする、請求項１記載のし渣搬送設備。
【請求項３】
前記脱水機は、前記傾斜バースクリーンを振動させるための振動手段を有していることを特徴とする、請求項１または２記載のし渣搬送設備。
【請求項４】
前記脱水機は、前記傾斜バースクリーンに水を吹き付けて前記傾斜バースクリーンを洗浄するための洗浄手段を有していることを特徴とする、請求項１から３のうちの何れか１つに記載されたし渣搬送設備。
【発明の詳細な説明】
【０００１】
【発明の属する技術分野】
この発明は、し渣搬送設備、特に、下水処理設備における沈砂池等の下水処理槽から除塵機によって掻き揚げられ、集合されたし渣を、次工程まで圧送するための圧送装置と、圧送装置のし渣排出側に設けられた脱水機とを有するし渣搬送設備において、脱水機の目詰まりによる脱水機能の低下を防止でき、しかも、脱水機内のし渣の通過時間を、し渣の性状に応じて最適に制御することができ、かくして、し渣の脱水処理が効率良く行えるし渣搬送設備に関するものである。
【０００２】
【従来の技術】
通常、汚水や雨水（以下、これらを総称して下水という）は、下水処理設備の下水処理槽としての沈砂池に送られ、ここで下水中の砂分およびし渣（木片、紙片、ビニール片、布片、枯葉等の下水中の浮遊物）が除去された後、例えば、河川に放流されるか、次の処理工程に送られる。
【０００３】
以下に、従来のし渣搬送設備を、図面を参照しながら説明する。
【０００４】
図３は、下水処理設備における沈砂池部分を示す部分概略平面図、図４は、沈砂池に設置された除塵機を示す概略正面図、図５は、従来のし渣搬送設備を示す部分概略正面図、図６は、従来のし渣搬送設備における脱水機を示す概略正面、図７は、ピストンポンプを示す概略断面図である。
【０００５】
図３から図７において、１は、下水を緩慢に流し、この流れの過程で下水中の砂分を沈降させて除去するための沈砂池である。沈砂池１は、地下に複数列（この例では、５列）、平行に設置されている。１Ａは、下水の流入口であり、１Ｂは、下水の排水口である。２は、各沈砂池１の下流側に設置された、下水中のし渣３を沈砂池１外に掻き揚げるための除塵機である。除塵機２は、図４に示すように、沈砂池１の幅方向に亘って設けられたスクリーン４の上流側に設置され、モーター５によりエンドレスに周回する、下水中のし渣３を沈砂池１外に掻き揚げるためのスクレーパー６を有している。
【０００６】
７は、除塵機２によって掻き揚げられたし渣３を集合し、後述する圧送装置まで搬送するためのし渣搬送用コンベアである。し渣搬送用コンベア７は、各除塵機２によって掻き揚げられたし渣３を集合するための第１コンベア８と、第１コンベア８により集合されたし渣を前記圧送装置まで搬送するための第２コンベア９とからなっている。第１および第コンベア８、９は、チェーンコンベア、ベルトコンベア、フライトコンベア等からなっている。
【０００７】
１０は、コンベア７によって搬送されたし渣３を、地上のし渣貯留ホッパー１１まで圧送するためのし渣搬送設備である。し渣搬送設備１０は、ピストンポンプからなる圧送装置１２と、圧送装置１２のし渣圧送管路１３の途中に設けられた脱水機１４とを有している。脱水機１４は、し渣３に含まれている水分を除去して、し渣貯留ホッパー１１からのし渣３の搬出量を減少させる。
【０００８】
ピストンポンプは、図７に示すように、油圧機構によって往復動するプランジャー１５と、投入されたし渣３がプランジャー１５によって前進搬送されるチャンバー１６と、チャンバー１６を開閉するゲートバルブ１７とを有しており、プランジャー１５の往復動とゲートバルブ１６の開閉によって、中間ホッパー１８からチャンバー１６内に送り込まれたし渣３を、管路１３を通じて、地上のし渣貯留ホッパー１１まで間欠的に搬送する。ピストンポンプは、搬送物を搬送経路によらず確実に搬送できる利点を有している。
【０００９】
脱水機１４は、図６に示すように、管路１８の一部に多数の水抜き孔１９を形成したものからなっている。
【００１０】
このように構成されている、従来のし渣搬送設備によれば、し渣は、以下のようにしてし渣貯留ホッパーまで搬送される。
【００１１】
下水は、流入口１Ａから各沈砂池１に流入し、沈砂池１を緩慢に流れる。この流れの過程で、下水中の砂分２０は沈降し、沈砂池１の底部のピット１Ｃに堆積する。ピット１Ｃに堆積した砂分２０は、定期的に掻揚げ機（図示せず）によって沈砂池１外に掻き揚げられる。下水が沈砂池１の下流側まで流れると、下水中のし渣３は、除塵機２のスクレーパー６によって掻き揚げられる。このようにして、砂分２０およびし渣３が除去された下水は、排水口１Ｂから、例えば、河川に放流されるか、次の処理工程に送られる。
【００１２】
一方、各除塵機２によって掻き揚げられたし渣３は、第１および第２コンベア８、９によって、圧送装置１２まで搬送され、そして、圧送装置１２によってし渣貯留ホッパー１１まで圧送される。この間に、し渣３に含まれる水分は、脱水機１４によって除去される。し渣貯留ホッパー１１内のし渣３は、例えば、焼却炉に搬送され、焼却処理される。
【００１３】
【発明が解決しようとする課題】
しかしながら、上述した従来のし渣搬送設備は、次のような問題を有していた。即ち、脱水機１４は、管路１３に多数の水抜き孔１９を単に形成したものなので、水抜き孔１９にし渣３が付着して、目詰まりを起こしやすく、短時間に脱水機能を失う。
【００１４】
従って、この発明の目的は、下水処理設備における沈砂池等の下水処理槽から除塵機によって掻き揚げられ、集合されたし渣を、次工程まで圧送するための圧送装置と、圧送装置のし渣排出側に設けられた脱水機とを有するし渣搬送設備において、脱水機の目詰まりによる脱水機能の低下を防止でき、しかも、脱水機内のし渣の通過時間を、し渣の性状に応じて最適に制御でき、かくして、し渣の脱水処理が効率良く行えるし渣搬送設備を提供することにある。
【００１５】
請求項１記載の発明は、下水処理設備における下水処理槽から掻き揚げられたし渣を、次工程に圧送するための圧送装置と、前記圧送装置のし渣排出側に設けられた脱水機とを有するし渣搬送設備において、前記脱水機は、傾斜バースクリーンを有し、し渣に含まれる水分は、し渣が前記傾斜バースクリーン上を滑り落ちる過程でし渣から分離し、落下し、前記脱水機は、前記傾斜バースクリーン上を滑り落ちるし渣の移動速度を検出するための速度検知手段と、前記速度検知手段によって検出されたし渣の移動速度に基づいて、前記傾斜バースクリーンの傾斜角度を調整するための角度調整手段とを有していることに特徴を有するものである。
【００１６】
請求項２記載の発明は、前記傾斜バースクリーンの表面に、断面逆三角形状のキャップが被せられていることに特徴を有するものである。
【００１７】
請求項３記載の発明は、前記脱水機は、前記傾斜バースクリーンを振動させるための振動手段を有していることに特徴を有するものである。
【００１８】
請求項４記載の発明は、前記脱水機は、前記傾斜バースクリーンに水を吹き付けて前記傾斜バースクリーンを洗浄するための洗浄手段を有していることに特徴を有するものである。
【００２０】
【発明の実施の形態】
この発明のし渣搬送設備の一実施態様を、図面を参照しながら説明する。
【００２１】
図１は、この発明のし渣搬送設備における脱水機を示す部分概略断面図、図２は、キャップを被せた傾斜バースクリーンを示す断面図である。
【００２２】
この発明は、図５に示す従来のし渣搬送設備において、脱水機１４を、図１に示すような構造の脱水機２１に置き換えたものである。
【００２３】
脱水機２１は、多数本のバー２２を間隔をあけて平行に多数本の補強材２３によって連結したものからなる傾斜バースクリーン２４を有している。
【００２４】
圧送装置１２から管路１３を通って圧送されてきたし渣３は、傾斜バースクリーン２４上を自重で滑り落ちる。この過程でし渣３中に含まれる水分は、し渣３から分離し、落下する。このようにして、し渣３は、脱水処理される。し渣３は、傾斜バースクリーン２４上でバー２２に押し付けられることなく、自重で緩やかに滑降下するので、傾斜バースクリーン２４は、目詰まりしにくい。
【００２５】
傾斜バースクリーン２４の各バー２２に、図２に示すように、断面逆三角形状の樹脂製キャップ２５を被せれば、バー２２の上面から下面に向かうにしたがってバー２２間の間隔が広がるので、水はけが良く、また、バー２２間のし渣３による閉塞が解消される。
【００２６】
脱水機２１に、傾斜バースクリーン２４を、例えば、機械的に振動させるための振動手段（図示せず）を設ければ、し渣３の内外面に付着した水分の除去が促進される。
【００２７】
脱水機２１に、傾斜バースクリーン２４に水を吹き付けて傾斜バースクリーン２４を洗浄するための水噴射ノズル等の洗浄手段２６を設け、圧送装置１２の停止時に傾斜バースクリーン２４を洗浄すれば、バー２２に付着したし渣３を容易に除去できる。このようにして、スクリーン面を更新することによって、以降のし渣３の脱水効果が促進される。
【００２８】
更に、脱水機２１に、傾斜バースクリーン２４上を滑り落ちるし渣３の移動速度を検出するための速度検知手段２７と、速度検知手段２７によって検出されたし渣３の移動速度に基づいて、傾斜バースクリーン２４の傾斜角度を調整するための角度調整手段２８とを設ければ、傾斜バースクリーン２４上のし渣の通過時間をし渣３の性状に応じて最適に制御することができ、かくして、し渣３の脱水処理が効率良く行える。
【００２９】
速度検知手段２７は、例えば、傾斜バースクリーン２４上に上下部分に間隔をあけて設けた、し渣３の通過を検出するための一対のセンサー２９Ａ、２９Ｂを有するものであり、センサー２９Ａ、２９Ｂによるし渣３の検出時間差によって、し渣３の移動速度を検出する。センサー２９Ａ、２９Ｂは、光電管、超音波またはマイクロウェーブ等を利用するものである。このうちマイクロウェーブを利用したものは、マイクロ波が透過力が高く、検出面に付着する汚れの影響を受けにくいことから特に好ましい。
【００３０】
角度調整手段２８は、下端を軸３０により支持した傾斜バースクリーン２４をシリンダー３１によって傾動させるものである。
【００３１】
このように、脱水機２１に洗浄手段２６、速度検知手段２７および角度調整手段２８を設けることによって、以下のようにして、し渣３の脱水処理が効率良く行える。
【００３２】
通常は、傾斜バースクリーン２４の傾斜角度（θ）を４５度程度の傾斜角度に設定してし渣３の脱水処理を行う。傾斜バースクリーン２４上のし渣３の移動速度は、速度検知手段２７によって監視される。し渣３の移動速度は、し渣３の性状によって変化する。し渣３の移動速度が設定速度より早い場合には、シリンダー３１を伸ばして傾斜バースクリーン２４の傾斜角度（θ）を小さくする。なお、前記設定速度とは、し渣３の脱水が十分に行われる速度である。一方、し渣３の移動速度が設定速度より遅い場合には、シリンダー３１を縮めて傾斜バースクリーン２４の傾斜角度（θ）を大きくする。これによって、傾斜バースクリーン２４上のし渣の通過時間の最適化が図れる。即ち、通過時間が必要以上に長くなった際のし渣の滞留、閉塞現象を防止でき、また、通過時間が短くなった際の脱水時間の不足現象を防止することができ、かくして、し渣３の脱水処理が効率良く行える。
【００３３】
傾斜バースクリーン２４に付着したし渣３を洗浄する場合には、圧送装置１２の運転停止時に、シリンダー３１を最大に伸ばして傾斜バースクリーン２４を水平に倒す。そして、洗浄手段２６から洗浄水を傾斜バースクリーン２４に噴射して、傾斜バースクリーン２４に付着したし渣３を洗浄する。これによって、傾斜バースクリーン２４の目詰まりが解消される。
【００３４】
【発明の効果】
以上説明したように、この発明によれば、以下のような有用な効果がもたらされる。
【００３５】
下水処理設備における沈砂池等の下水処理槽から除塵機によって掻き揚げられ、集合されたし渣を、次工程まで圧送するための圧送装置と、圧送装置のし渣排出側に設けられた脱水機とを有するし渣搬送設備において、脱水機として傾斜バースクリーンを用いることによって、脱水機の目詰まりによる脱水機能の低下を防止でき、しかも、傾斜バースクリーンの傾斜角度を傾斜バースクリーン上のし渣の通過速度に応じて調整可能にすることによって、し渣の性状に応じた最適通過時間を維持することができ、更に、洗浄手段を設けることによって、傾斜バースクリーンの目詰まりを防止でき、かくして、し渣の脱水処理が効率良く行える。
【図面の簡単な説明】
【図１】この発明のし渣搬送設備における脱水機を示す部分概略断面図である。
【図２】キャップを被せた傾斜バースクリーンを示す断面図である。
【図３】下水処理設備における沈砂池部分を示す部分概略平面図である。
【図４】沈砂池に設置された除塵機を示す概略正面図である。
【図５】従来のし渣搬送設備を示す部分概略正面図である。
【図６】従来のし渣搬送設備における脱水機を示す概略正面図である。
【図７】ピストンポンプを示す概略断面図である。
【符号の説明】
１：沈砂池
１Ａ：流入口
１Ｂ：流出口
１Ｃ：ピット
２：除塵機
３：し渣
４：スクリーン
５：モーター
６：スクレーパー
７：コンベア
８：第１コンベア
９：第２コンベア
１０：し渣搬送設備
１１：し渣貯留ホッパー
１２：圧送装置
１３：管路
１４：脱水機
１５：プランジャー
１６：チャンバー
１７：ゲートバルブ
１８：中間ホッパー
１９：水抜き孔
２０：砂分
２１：脱水機
２２：バー
２３：補強材
２４：傾斜バースクリーン
２５：キャップ
２６：洗浄手段
２７：速度検知手段
２８：角度調整手段
２９Ａ、２９Ｂ：センサー
３０：軸
３１：シリンダー
【図１】
0003606092.tif 000002
【図２】
0003606092.tif 000003
【図３】
0003606092.tif 000004
【図４】
0003606092.tif 000005
【図５】
0003606092.tif 000006
【図６】
0003606092.tif 000007
【図７】
0003606092.tif 000008